(57)【要約】【課題】保守時の水および空気抜き作業を容易にしたヒートポンプ熱源機を提供すること。【解決手段】本発明のヒートポンプ熱源機は、冷媒と水とを熱交換して高温水を生成する水熱交換器５と、水熱交換器５の一端部に給水する配管を接続する給水側配管接続部２と、水熱交換器の他端部に温水を送る配管を接続する温水側配管接続部３と、水熱交換器を内部に配設する筐体１と、水熱交換器の水流路から水を抜き取る水抜き栓７とを備え、温水側配管接続部の近傍に水抜き栓７を設けるとともに、給水側配管接続部と温水側配管接続部と水抜き栓とを筐体の外部に位置するように構成し、給水側配管接続部と温水側配管接続部と水抜き栓を覆う配管接続部カバー４を設け、配管接続部カバーの水抜き栓に対向する位置に開口部１１を設けた。【選択図】図１
2011002145.tif 000002
【特許請求の範囲】
【請求項１】
冷媒と水とを熱交換して高温水を生成する水熱交換器と、前記水熱交換器の一端部に給水する配管を接続する給水側配管接続部と、前記水熱交換器の他端部に温水を送る配管を接続する温水側配管接続部と、前記水熱交換器を内部に配設する筐体と、前記水熱交換器の水流路から水を抜き取る水抜き栓とを備え、前記温水側配管接続部の近傍に前記水抜き栓を設けるとともに、前記給水側配管接続部と前記温水側配管接続部と前記水抜き栓とを前記筐体の外部に位置するように構成し、前記給水側配管接続部と前記温水側配管接続部と前記水抜き栓を覆う配管接続部カバーを設け、前記配管接続部カバーの前記水抜き栓に対向する位置に開口部を設けたことを特徴とするヒートポンプ熱源機。
【請求項２】
前記開口部の開閉を行う扉を備え、前記扉の開き方向が前記筐体の前面側もしくは上面側を臨むように構成されたことを特徴とする請求項１に記載のヒートポンプ熱源機。
【請求項３】
前記扉の内側に排水ホースを固定する固定部を備えたことを特徴とする請求項２に記載のヒートポンプ熱源機。
【発明の詳細な説明】
【技術分野】
【０００１】
本発明は、ヒートポンプ式給湯機等の熱源に用いられるヒートポンプ熱源機に関するものである。
【背景技術】
【０００２】
従来、この種のヒートポンプ熱源機は、筐体の側面に給水および温水配管を接続する配管接続具を固定する固定板を設け、保守用の水抜き栓を配置・固定していた（例えば、特許文献１参照）。
【０００３】
図６は、前記文献に記載された従来のヒートポンプ熱源機の正面図と側面図を示すものである。図６において、ヒートポンプ熱源機の本体の側面１０１には、給水側および温水側配管接続具１０２、１０３が具備され、給水側および温水側配管接続具は、配管接続部カバー１０４で覆われ、配管接続部カバー１０４はネジ締付けで固定された構成となっている。
【０００４】
図７は、本体内部の給湯サイクル部品の正面図と側面図であり、水熱交換器１０５の端部には、給水側および温水側配管を接続する配管接続具１０２、１０３と、保守用の給水側および温水側水抜き栓１０６、１０７が接続され、基板側面１０１に連結固定した固定板１０８に、給水側および温水側配管を接続する配管接続具１０２、１０３と保守用の水抜き栓１０６，１０７を同時に配置、固定していた。
【０００５】
また、図８のように、配管接続具と水抜き栓を一体構造化した配管接続具１０９を具備した場合には、配管接続部カバー１０４は、配管接続部カバーの取り外しのために、容易に指先やコインなどでネジ外しが可能となるネジ１１０を採用していた。
【先行技術文献】
【特許文献】
【０００６】
【特許文献１】特開２００５−１４７６２０号公報
【発明の概要】
【発明が解決しようとする課題】
【０００７】
しかしながら、前記従来のヒートポンプ熱源機の構成では、基板側面１０１に連結固定した固定板１０８の下部に、給水側および温水側水抜き栓１０６，１０７を同時に配置し、給水側および温水側水抜き栓１０６、１０７の上方部に、配管接続具１０２、１０３を配置・固定していたために、給水側および温水側水抜き栓１０６、１０７を操作するためには、配管接続部カバー１０４のネジを緩めて取り外した後に、水抜き栓を緩めて水および空気抜き作業を行い、作業完了後に再び配管接続部カバー１０４のネジを締めて取り付けるという作業をしなければならず、非常に手間が掛かってしまうという課題を有していた。
【０００８】
本発明は、前記従来の課題を解決するもので、保守時の水および空気抜き作業を容易にしたヒートポンプ熱源機を提供することを目的とする。
【課題を解決するための手段】
【０００９】
前記従来の課題を解決するために、本発明のヒートポンプ熱源機は、冷媒と水とを熱交換して高温水を生成する水熱交換器と、水熱交換器の一端部に給水する配管を接続する給水側配管接続部と、水熱交換器の他端部に温水を送る配管を接続する温水側配管接続部と
、水熱交換器を内部に配設する筐体と、水熱交換器の水流路から水を抜き取る水抜き栓とを備え、温水側配管接続部の近傍に水抜き栓を設けるとともに、給水側配管接続部と温水側配管接続部と水抜き栓とを筐体の外部に位置するように構成し、給水側配管接続部と温水側配管接続部と水抜き栓を覆う配管接続部カバーを設け、配管接続部カバーの水抜き栓に対向する位置に開口部を設けたことにより、開口部を通じて水抜き栓を操作することができ、作業を容易化・短時間化することができる。
【発明の効果】
【００１０】
本発明は、保守時の水および空気抜き作業を容易にしたヒートポンプ熱源機を提供することができる。
【図面の簡単な説明】
【００１１】
【図１】本発明の実施の形態１におけるヒートポンプ熱源機の構成図
【図２】同実施の形態１における正面図
【図３】（ａ）ＡＡ断面図（ｂ）ＢＢ断面図
【図４】（ａ）ＡＡ断面図（ｂ）ＢＢ断面図
【図５】同実施の形態１における要部断面図
【図６】従来のヒートポンプ熱源機の構成図
【図７】従来のヒートポンプ熱源機の要部構成図
【図８】従来のヒートポンプ熱源機の構成図
【発明を実施するための形態】
【００１２】
第１の発明のヒートポンプ熱源機は、冷媒と水とを熱交換して高温水を生成する水熱交換器と、水熱交換器の一端部に給水する配管を接続する給水側配管接続部と、水熱交換器の他端部に温水を送る配管を接続する温水側配管接続部と、水熱交換器を内部に配設する筐体と、水熱交換器の水流路から水を抜き取る水抜き栓とを備え、前記温水側配管接続部の近傍に水抜き栓を設けるとともに、給水側配管接続部と温水側配管接続部と水抜き栓とを筐体の外部に位置するように構成し、給水側配管接続部と温水側配管接続部と水抜き栓を覆う配管接続部カバーを設け、配管接続部カバーの水抜き栓に対向する位置に開口部を設けたことにより、開口部を通じて水抜き栓を操作することができ、作業を容易化・短時間化することができる。
【００１３】
第２の発明のヒートポンプ熱源機は、特に第１の発明において、前記開口部の開閉を行う扉を備え、前記扉の開き方向が前記筐体の前面側もしくは上面側を臨むように構成されたことにより、保守時の水および空気抜き作業を、本体の正面や側面より目視しやすくなり、作業性の向上が図ることができる。
【００１４】
第３の発明のヒートポンプ熱源機は、特に第２の発明において、扉の内側に排水ホースを固定する固定部を備えたことにより、保守時の水抜き作業で、水抜き栓にホースを接続して、外部に水を流す場合、ホースを固定部で固定するため、ホースが抜けることなく、希望する場所への排水ができ、本体を置く床面を水でぬらすことなく、美観を保つことができる。
【００１５】
以下、本発明の実施の形態について、図面を参照しながら説明する。なお、この実施の形態によって本発明が限定されるものではない。
【００１６】
（実施の形態１）
本発明の第１の実施の形態について、図１〜３を用いて説明する。図１は、本発明の第１の実施の形態におけるヒートポンプ熱源機の正面図、側面図、平面図である。図２は、ヒートポンプ熱源機の内部を示した部品構成正面図である。また、図３（ａ）は、ヒート
ポンプ熱源機の配管接続部の詳細横断面図（ＡＡ断面図）であり、図３（ｂ）は同縦断面図（ＢＢ断面図）である。
【００１７】
図１〜図３において、ヒートポンプ熱源機の外郭を構成する略直方体形状の筐体１の内部には、ヒートポンプサイクルを流れる高温冷媒と、低温水との熱交換を行い高温水を生成する水熱交換器５が配置されている。
【００１８】
そして水熱交換器５の一端部には、水熱交換器に低温水を供給する給水側配管接続部２が設けられ、水熱交換器５の他端部には高温水を送り出す配管を接続する温水側配管接続部３が設けられている。そして、給水側配管接続部２および温水側配管接続部３は、いずれも筐体１の外部に位置しているため、それらの接続部を隠すための配管接続部カバー４で覆われている。
【００１９】
そして水熱交換器５の給水側配管接続部２側の水抜き栓は、給水側の配管から分岐して筐体１の底部に給水側水抜き栓６が配置されている。一方、温水側配管接続部３側の水抜き栓７は、温水側配管接続部３の近傍に一体的に設けられており、配管接続部カバー４で覆われている。
【００２０】
さらに、配管カバー４の温水側配管接続部３と一体的に構成された水抜き栓７に対向する位置には開口部１１が設けられており、開閉可能となる樹脂製の扉１２が取り付けられている。
【００２１】
図４（ａ）（ｂ）は、ヒートポンプ熱源機の配管接続部の詳細横断面図（ＡＡ断面図）および縦断面図（ＢＢ断面図）である。図４（ａ）（ｂ）に示すように、扉１２の回転軸は、図４（ａ）に示すように背面側に設けるか、図４（ｂ）に示すように下面側に設けるかのいずれかを選択する。図４（ａ）のように背面側に回転軸を設けた場合は、筐体１の正面側が開くように扉１２を設けることができ、図４（ｂ）のように下面側に回転軸を設けた場合は、筐体１の上面側が開くように扉１２を設けることができる。そのため、正面側が開くように設けた場合には、正面からの作業時に目視することができ、作業効率が向上し、上面側が開くように設けた場合には、上面からの作業時に目視することができ、作業効率が向上する。
【００２２】
また、本実施の形態では、扉１２の内側にはホース固定部１７を設けている。図５は扉１２を開けて排水作業を行っている図である。図５に示すように、水抜き栓７から排水作業を行う時には、水抜き栓７に排水ホース１６を接続の上、ホース固定部１７に排水ホース１６を固定する。その結果、ホースが抜けることなく、希望する場所への排水ができ、本体を置く床面を水でぬらすことなく、美観を保つことができる。
【００２３】
以上のように構成されたヒートポンプ熱源機について、以下にその動作、作用を説明する。
【００２４】
まず、据付工事時に、ヒートポンプ熱源機と、内部に貯湯タンクを有する貯湯タンクユニット（図示せず）とを配管接続した後に、試運転を行う。そして試運転を行うために、給水源から水熱交換器５へ水を注入する。そしてヒートポンプ熱源機側では、給水側配管接続部２から給水され、水熱交換器５の内部を通水して、温水側配管接続部３から排水される。
【００２５】
しかし、水が通水する配管および水熱交換器５内には、まだ、空気が残っているため、空気抜き作業を行わなければならない。そこで、ヒートポンプ熱源機側では、ねじ式の給水側または温水側水抜き栓６、７を緩めて、空気を排出して、水が連続して排水されるこ
とを確認する。
【００２６】
本発明では、温水側配管接続部に対向する配管接続部カバー４の位置には、開口部１１が具備されているため、配管接続部カバー４を取り外すことなく、扉１２を取り外して、開口部１１に指を挿し入れて、一体構造化された配管接続具９に具備された温水側水抜き栓７を緩めて、容易に空気抜き作業を行うことができる。
【００２７】
同様にして、長期不在時に、給湯サイクル内の水抜き作業を行うことができる。また、本体の組立工程では、給湯サイクルを分岐しないため、部品点数を削減することができ、コスト低減が図られ、ロー付け作業などの組立て時の工数削減を図ることができる。
【００２８】
さらに、扉１２の回転軸を筐体１の背面側もしくは下面側に設けているので、保守時の水および空気抜き作業が、本体の側面や正面より、内部にある水抜き栓７を目視しやすくなり、作業性の向上が図れる。
【００２９】
また、配管接続部カバー４に設ける開閉可能な扉１２の内面に、保守時に温水側水抜き栓部７に接続される排水ホース１６を固定するホース固定部１７が形成されている。ホース固定部の形状は、フック形状、バンド形状などのさまざまな形状を問わない。
【００３０】
そして、保守時の水抜き作業で、水抜き栓部７にホース１７を接続して、外部に水を流す場合、ホース１７はホース固定部により固定されるため、ホースが抜けることなく、希望する場所への排水ができ、本体を置く床面を水でぬらすことなく、美観を保てる。
【００３１】
以上のように、本実施の形態におけるヒートポンプ熱源機によれば、配管接続部カバー４を取り外すことなく、配管接続部カバー４の開口部１１より、水抜き栓を操作することができ、容易に空気抜き作業を行うことができる。また、本体の組立工程では、部品点数を削減することができ、コスト低減が図られ、ロー付け作業などの組立て時の工数削減を図ることができる。
【産業上の利用可能性】
【００３２】
以上のように、本発明に係るヒートポンプ熱源機は、ヒートポンプ式給湯機に限定されることはなく、空調機能、暖房機能を有したヒートポンプ熱源にも適用することができる。
【符号の説明】
【００３３】
１  筐体
２  給水側配管接続部
３  温水側配管接続部
４  配管接続カバー
５  水熱交換器
６  給水側水抜き栓
７  温水側水抜き栓
１１  開口部
１２  扉
１６  ホース
１７  ホース固定部
【図１】
2011002145.tif 000003
【図２】
2011002145.tif 000004
【図３】
2011002145.tif 000005
【図４】
2011002145.tif 000006
【図５】
2011002145.tif 000007
【図６】
2011002145.tif 000008
【図７】
2011002145.tif 000009
【図８】
2011002145.tif 000010